(57)【要約】【課題】エネルギーの消費を抑制しつつ容器内を所望の温度に保ちやすい。【解決手段】自然循環冷媒回路１１０の一端が断熱容器２内に配置され、他端が断熱容器２外に配置されている。外カバー１０１及び内カバー１０２は、自然循環冷媒回路１１０の断熱容器２外に配置された他端を覆っている。外カバー１０１の開口１０１ａにはファン１０３が配置されている。ファン１０３が作動すると開口１０１ｂから空気が流入し、自然循環冷媒回路１１０が気流によって冷却される。これによって自然循環冷媒回路１１０の両端間に温度差が生じると、断熱容器２内から自然循環冷媒回路１１０を通じて断熱容器２外へと熱伝導が発生する。ファン１０３が停止すると外カバー１０１内の空気が暖められ、自然循環冷媒回路１１０からの放熱が止まるため、熱伝導も停止する。【選択図】図１
2011141200.tif 000002
【特許請求の範囲】
【請求項１】
内部に試験室が形成された容器と、
前記容器内に一端が、前記容器外に他端が配置され、両端間に生じた温度差により両端間で熱伝導が発生する熱伝導部材と、
前記熱伝導部材の他端を上方から覆うカバーと、
前記カバーに形成された開口と、
前記開口から前記カバー外へと空気を流出させるような気流を前記カバー内に発生させる気流発生手段とを備えており、
前記カバーが、前記気流発生手段が気流を発生させない場合に、前記熱伝導部材の他端の周囲に暖められた空気を滞留させることを特徴とする環境試験装置。
【請求項２】
前記熱伝導部材の他端を加熱する加熱手段をさらに備えていることを特徴とする請求項１に記載の環境試験装置。
【請求項３】
前記カバーが、前記熱伝導部材が前記容器内から前記カバー内に熱伝導によって放散する熱量より、前記カバー内から前記カバー外へと放散する熱量が小さくなるような断熱性能を有していることを特徴とする請求項１又は２に記載の環境試験装置。
【請求項４】
前記カバー内の領域を、前記熱伝導部材の他端が配置された第１の領域と前記開口を通じて前記カバー外の空間と連続する第２の領域とに仕切る内壁が、前記カバー内に設けられていることを特徴とする請求項１〜３のいずれか１項に記載の環境試験装置。
【請求項５】
前記第１の領域と前記第２の領域との連通部に配置され、前記連通部を閉鎖する閉鎖位置と前記連通部を開放する開放位置とを選択的に取るシャッタと、
前記気流発生手段が気流を発生させた際に前記シャッタを前記閉鎖位置から前記開放位置へと変位させるシャッタ変位手段とをさらに備えていることを特徴とする請求項４に記載の環境試験装置。
【請求項６】
前記シャッタ変位手段が、前記閉鎖位置を取るように前記シャッタを付勢する付勢手段を有しており、
前記気流発生手段が、
前記第１の領域と前記第２の領域の間に発生した圧力差が、前記付勢手段による付勢力に抗して、前記シャッタを前記閉鎖位置から前記開放位置へと移動させるような気流を発生させることを特徴とする請求項５に記載の環境試験装置。
【請求項７】
前記気流発生手段が、前記開口の近傍に配置されたファンを有していることを特徴とする請求項１〜６のいずれか１項に記載の環境試験装置。
【請求項８】
前記熱伝導部材が、内部に冷媒が封入されたパイプ部材を有しており、
前記パイプ部材において前記容器内の部分で蒸発した冷媒が、前記パイプ部材において前記容器外の部分で凝縮することを特徴とする請求項１〜７のいずれか１項に記載の環境試験装置。
【発明の詳細な説明】
【技術分野】
【０００１】
本発明は、容器内の空調を実施する環境試験装置に関わる。
【背景技術】
【０００２】
容器内の空調を実施する環境試験装置には特許文献１のような方式を採用するものがある。特許文献１では、容器内に設けられた試験室の空調を実施するため、ヒートパイプを用いた熱交換器が設けられている。ヒートパイプの一端は試験室内に、他端は試験室外のダクトに配置されている。ダクトの下部には、ダクト内に気流を発生させるファンが設けられている。このファンによってダクト内に気流が発生すると、ヒートパイプのダクト側の他端が冷却される。これによりヒートパイプの両端間に温度差が生じると、ヒートパイプの試験室側の一端からダクト側の他端へと熱伝導が生じ、試験室内が冷却される。
【先行技術文献】
【特許文献】
【０００３】
【特許文献１】特許第２６０３４０７号
【発明の概要】
【発明が解決しようとする課題】
【０００４】
特許文献１の熱交換器の場合、ヒートパイプの両端間に温度差があるときには、ヒートパイプを介した熱伝導が継続する。このため、容器内が所望の温度になった際にファンを停止しても、ヒートパイプを介して容器内がさらに冷却され、容器内が所望の温度より低くなることがある。そこで、特許文献１では、試験室内の温度が所望の温度より低くなると、ダクト下部のファンを止めた状態で、試験室内に設けたヒータを作動させている。このように特許文献１では、容器内を所望の温度に保つためにヒータを作動させる必要があるので、エネルギー効率が低くなるおそれがある。
【０００５】
本発明の目的は、エネルギーの消費を抑制しつつ容器内を所望の温度に保ちやすい環境試験装置を提供することにある。
【課題を解決するための手段及び発明の効果】
【０００６】
本発明の環境試験装置は、内部に試験室が形成された容器と、前記容器内に一端が、前記容器外に他端が配置され、両端間に生じた温度差により両端間で熱伝導が発生する熱伝導部材と、前記熱伝導部材の他端を上方から覆うカバーと、前記カバーに形成された開口と、前記開口から前記カバー外へと空気を流出させるような気流を前記カバー内に発生させる気流発生手段とを備えており、前記カバーが、前記気流発生手段が気流を発生させない場合に、前記熱伝導部材の他端の周囲に暖められた空気を滞留させる。
【０００７】
本発明の環境試験装置によると、熱伝導部材の他端が上方からカバーで覆われており、このカバーが熱伝導部材の他端の周囲に暖められた空気を滞留させる。このため、カバー内の気流の発生を停止すると、熱伝導部材の他端からの放熱が収まり、熱伝導部材の両端間の温度差が解消される。したがって、熱伝導部材を介した熱伝導が発生しにくくなるため、容器内が冷却され過ぎたりしにくくなる。
【０００８】
また、本発明においては、前記熱伝導部材の他端を加熱する加熱手段をさらに備えていることが好ましい。これによると、加熱手段により熱伝導部材の他端が加熱されるため、熱伝導部材の両端間に生じた温度差を速やかに解消できる。
【０００９】
また、本発明においては、前記カバーが、前記熱伝導部材が前記容器内から前記カバー内に熱伝導によって放散する熱量より、前記カバー内から前記カバー外へと放散する熱量が小さくなるような断熱性能を有していることが好ましい。これによると、カバー内の温度が保持されやすい。
【００１０】
また、本発明においては、前記カバー内の領域を、前記熱伝導部材の他端が配置された第１の領域と前記開口を通じて前記カバー外の空間と連続する第２の領域とに仕切る内壁が、前記カバー内に設けられていることが好ましい。これによると、カバー内の空間が２つに仕切られているため、仕切りがない場合と比べてカバー内の温度が保持されやすい。
【００１１】
また、本発明においては、前記第１の領域と前記第２の領域との連通部に配置され、前記連通部を閉鎖する閉鎖位置と前記連通部を開放する開放位置とを選択的に取るシャッタと、前記気流発生手段が気流を発生させた際に前記シャッタを前記閉鎖位置から前記開放位置へと変位させるシャッタ変位手段とをさらに備えていることが好ましい。これによると、気流が発生する際はシャッタが開放位置を取るので熱伝導部材の他端が適切に冷却されると共に、シャッタが閉鎖された場合は、暖められた空気がカバー内に溜まりやすくなる。
【００１２】
また、本発明においては、前記シャッタ変位手段が、前記閉鎖位置を取るように前記シャッタを付勢する付勢手段を有しており、前記気流発生手段が、前記第１の領域と前記第２の領域の間に発生した圧力差が、前記付勢手段による付勢力に抗して、前記シャッタを前記閉鎖位置から前記開放位置へと移動させるような気流を発生させることが好ましい。これによると、付勢手段により、気流が発生する際はシャッタが開放位置を取り、気流が停止した際はシャッタが閉鎖位置を取るので、シャッタを適切に変位させる構造が簡易に実現する。
【００１３】
また、本発明においては、前記気流発生手段が、前記開口の近傍に配置されたファンを有していることが好ましい。これによると、気流の流出口であるカバーの開口の近傍にファンが配置されているので、第１の領域内に均一な気流を発生させやすく、気流によって熱伝導部材の他端を冷却する効率がよい。
【００１４】
また、本発明においては、前記熱伝導部材が、内部に冷媒が封入されたパイプ部材を有しており、前記パイプ部材において前記容器内の部分で蒸発した冷媒が、前記パイプ部材において前記容器外の部分で凝縮することが好ましい。これによると、冷媒の循環により熱伝導が効率よく発生する。
【図面の簡単な説明】
【００１５】
【図１】本発明の一実施形態に係る環境試験装置の概略構成を示す縦断面図である。
【図２】図１の自然循環冷媒回路の斜視図である。カバー等が破線で示してある。
【図３】環境試験装置の制御系の構成を示すブロック図である。
【図４】図４（ａ）は、本実施形態の熱交換器における変形例の縦断面図である。図４（ｂ）は、本変形例のカバーの斜視図である。
【図５】本実施形態の熱交換器におけるその他の変形例に係るカバーの斜視図である。
【発明を実施するための形態】
【００１６】
以下、本発明の環境試験装置が適用された一実施形態である環境試験装置１について図面を参照しつつ説明する。なお、以下の説明において上方、下方、前方、後方、右方及び左方の各方向は、図２に示された方向を指すものとする。
【００１７】
環境試験装置１は、電子部品等の試料に関して環境試験を実施する際に用いられる装置であり、図１に示すように、断熱容器２を有している。断熱容器２の内部には、試料が配置される空間である試験室が設けられている。試験室内は、仕切り壁４によって前後方向に２つの空間１ａ及び１ｂに仕切られており、空間１ｂ内に試料Ｍが載置される載置台７が設けられている。空間１ｂの前方には開閉可能な断熱扉３が設けられており、試験室内において試料Ｍの環境試験を実施する際には、断熱扉３を開放して断熱容器２の前方から試料Ｍを空間１ｂ内に収容し、試料Ｍを載置台７に載置した後、断熱扉３を閉じて試験室を密閉する。
【００１８】
空間１ａ内には試験室内を加熱するためのヒータ５が設けられている。仕切り壁４の上端と断熱容器２内の天井壁面との間には連通口４ａが形成され、仕切り壁４の下端と断熱容器２内の底壁面との間には連通口４ｂが形成されている。連通口４ａにはファン６が設けられており、ファン６が作動すると、空間１ａの空気が連通口４ａを通じて空間１ｂ側へと流入すると共に、空間１ｂの空気が連通口４ｂを通じて空間１ａ側へと流入する。
【００１９】
また、環境試験装置１には、図１及び図２に示すように、空間１ａ内の空気を冷却するための熱交換器１００が設けられている。熱交換器１００は、自然循環冷媒回路１１０（熱伝導部材）を有している。自然循環冷媒回路１１０は、内部が中空の複数のヒートパイプ１１１（パイプ部材）と、ヒートパイプ１１１の両端部にそれぞれ固定されたフィン１１２及び１１３とを有している。フィン１１２及び１１３は、ヒートパイプ１１１と空気間の熱交換の効率を向上させる部材である。ヒートパイプ１１１は断熱容器２の後部側壁２ａを貫通しており、フィン１１２が固定された方の端部が断熱容器２の外部に配置され、フィン１１３が固定された方の端部が断熱容器２内の空間１ａに配置されている。また、フィン１１２が固定された方の端部が、フィン１１３が固定された方の端部より上方に配置されている。
【００２０】
ヒートパイプ１１１内には冷媒が封入されている。空間１ａ内の温度が高温になると、ヒートパイプ１１１のフィン１１３側の端部において内部の冷媒が蒸発し、その蒸気がフィン１１２側へと向かう。ヒートパイプ１１１のフィン１１２側の端部においては、内部の蒸気が凝縮し、液体となる。ヒートパイプ１１１はフィン１１３側が下方になるように傾斜しているので、重力の影響と毛管力により、フィン１１２側の端部において凝縮した液体が、フィン１１３側へと流れていく。つまり、ヒートパイプ１１１においてフィン１１３側の端部では端部周辺の空気から蒸発熱を奪って冷媒が蒸発する。一方、ヒートパイプ１１１においてフィン１１２側の端部では端部周辺の空気へと放熱して冷媒が凝縮する。凝縮した冷媒はフィン１１３側へと戻る。このような冷媒の自然循環により、ヒートパイプ１１１においてフィン１１３側からフィン１１２側へと熱伝導が発生し、断熱容器２内部が冷却される。
【００２１】
このように自然循環冷媒回路１１０では、両端間の温度差に応じて冷媒が自然に循環することで、エネルギーを消費することなく断熱容器２内の空気を冷却することが可能である。しかし、この方式を採用した場合、断熱容器２内の温度が所望の温度になったとしても、ヒートパイプ１１１の両端間に生じた温度差に応じて熱伝導が発生するため、断熱容器２内の冷却が進行する。したがって従来、断熱容器２内の温度が所望の温度より低下し過ぎないように、断熱容器２内のヒータ５を作動させ、断熱容器２内を加熱する必要があった。
【００２２】
そこで、本実施形態の熱交換器１００には、自然循環冷媒回路１１０において必要以上に熱伝導を生じさせないようにするため、ヒートパイプ１１１のフィン１１２側の端部を覆う外カバー１０１及び内カバー１０２が設けられている。外カバー１０１はフィン１１２の上方、下方、後方、左方及び右方のそれぞれに配置された壁部から構成され、断熱容器２の後部側壁２ａの背面に固定されている。自然循環冷媒回路１１０は、断熱容器２の外側に配置された領域の全体が、外カバー１０１と後部側壁２ａの背面との間に形成された外カバー１０１内の空間に収容されている。外カバー１０１の後部の下端付近には外カバー１０１の内部と外部とを連通させる開口１０１ａが形成されている。開口１０１ａには外カバー１０１内の空気を外カバー１０１外へと流出させるファン１０３（気流発生手段）が設けられている。外カバー１０１においてフィン１１２の下方には開口１０１ｂが形成されている。
【００２３】
外カバー１０１の内部には内カバー１０２が形成されている。内カバー１０２はフィン１１２の後方及び上方にそれぞれ配置された壁を有しており、これらの壁が、外カバー１０１内の空間を、フィン１１２が配置された領域１０６（第１の領域）と、開口１０１ａを通じて外カバー１０１外の領域と連続する領域１０７（第２の領域）とに仕切っている。領域１０６内には、フィン１１２を加熱するヒータ１０５（加熱手段）が設けられている。内カバー１０２においてフィン１１２の上方には、領域１０６と領域１０７を連通させる連通口１０２ａが開口している。
【００２４】
外カバー１０１及び内カバー１０２は、なるべく高い断熱性を有する構造であることが好ましい。少なくとも、ヒートパイプ１１１の放熱量を保持できる程度に断熱性能の高い材質である必要がある。具体的には、自然循環冷媒回路１１０の熱伝導によって断熱容器２内から内カバー１０２内へと単位時間当たりに放散される熱量より、内カバー１０２内から外カバー１０１外へと単位時間当たりに放散される熱量の方が小さくなるように、外カバー１０１及び内カバー１０２が構成されている。外カバー１０１及び内カバー１０２には、例えば、樹脂材料からなる素材、特に発泡スポンジ、発泡スチロールなどの発泡性の素材が用いられるとよい。
【００２５】
内カバー１０２の上部に形成された連通口１０２ａには、この連通口１０２ａを開閉するシャッタ１０４が設けられている。シャッタ１０４は、連通口１０２ａを開放する開放位置（図１に示された位置）と連通口１０２ａを閉鎖する閉鎖位置（図２に示された位置）との間で変位可能に設けられている。また、シャッタ１０４を連通口１０２ａに変位可能に支持する支持部１０４ａには、シャッタ１０４の支持部を回転方向に付勢するばねなどの付勢部材が設けられている。この付勢部材は、シャッタ１０４を開放位置から閉鎖位置へ向かう方向に付勢している。
【００２６】
ファン１０３が作動していない状態では、シャッタ１０４は上記の付勢部材により、閉鎖位置を取った状態で維持されている。ファン１０３が作動すると外カバー１０１内の領域１０７の気圧が大気圧より小さくなるため、領域１０６と領域１０７の間で気圧に差が生じる。この圧力差が付勢部材による付勢力より大きくなると、シャッタ１０４に作用する圧力が付勢力に抗し、シャッタ１０４が閉鎖位置から開放位置へと変位する。これによって連通口１０２ａが開放されると、フィン１１２の下方に形成された開口１０１ｂから空気が流入し、領域１０６を通過して連通口１０２ａを通り、領域１０７から開口１０１ａを介して外カバー１０１外へと向かう気流が発生する。この気流により、シャッタ１０４は開放位置を取った状態で維持される。ファン１０３が停止すると、この気流が停止し、シャッタ１０４は再び閉鎖位置を取る。このように、本実施形態では、付勢部材の働きにより、ファン１０３が作動した際にシャッタ１０４を開放させる、本発明のシャッタ変位手段の機能が実現されている。
【００２７】
環境試験装置１の各部は、図１及び図３に示すように、制御部１０によって制御されている。制御部１０は、ＣＰＵ（Ｃｅｎｔｒａｌ  Ｐｒｏｃｅｓｓｉｎｇ  Ｕｎｉｔ）や各種メモリなどのハードウェアと、これらのハードウェアを環境試験装置１の各部を制御する機能部として機能させるソフトウェアとによって構成されている。制御部１０には内カバー１０２内の温度を検出するカバー内温度検出器１１と、断熱容器２内の温度を検出する内部温度検出器１２とが接続されている。制御部１０は、カバー内温度検出器１１の検出結果及び内部温度検出器１２の検出結果に基づいてヒータ５及び１０５、並びに、ファン６及び１０３をそれぞれ制御する。
【００２８】
例えば、断熱容器２内の温度を低下させる際、制御部１０は、ファン６及び１０３を作動させると共に、ヒータ５及び１０５を停止させる。ファン１０３が作動することにより、連通口１０２ａが開放され、開口１０１ｂから外カバー１０１内に流入した空気がフィン１１２の周辺を通って開口１０１ａから流出する気流が発生する。この気流によってフィン１１２が冷却され、ヒートパイプ１１１においてフィン１１２側とフィン１１３側との間に温度差が生じる。これによって、ヒートパイプ１１１においてフィン１１３側からフィン１１２側へと熱伝導が発生し、断熱容器２の空間１ａ内の空気が冷却される。空間１ａ内の冷却された空気は、ファン６によって空間１ｂへと流入し、試験室内の温度が低下する。
【００２９】
また、制御部１０は、カバー内温度検出器１１及び内部温度検出器１２の検出結果に基づき、断熱容器２内と内カバー１０２内の温度差に応じてファン１０３の回転数を制御する。例えば、自然循環冷媒回路１１０において所定の冷却能力を確保したい場合、断熱容器２内と内カバー１０２内の温度差が大きいときには、ファン１０３の回転数を小さくする一方で、断熱容器２内と内カバー１０２内の温度差が小さいときにはファン１０３の回転数を大きくする。このように、ファン１０３の運転制御により、自然循環冷媒回路１１０による冷却能力の制御が可能である。
【００３０】
試験室内の温度が所望の温度付近まで低下すると、制御部１０は、ファン１０３を停止させる。これにより、シャッタ１０４が閉鎖状態となる。このとき、自然循環冷媒回路１１０においてフィン１１２側の端部とフィン１１３側の端部とで温度差が生じ、ヒートパイプ１１１を通じて熱伝導が発生したとしても、フィン１１２からの放熱によって暖められた空気は領域１０６内において、閉鎖されたシャッタ１０４の直下に滞留する。これによってフィン１１２の周囲の空気が次第に暖まり、フィン１１２側の放熱が収まって、自然循環冷媒回路１１０においてフィン１１２側とフィン１１３側との温度差が解消されてくる。このため、ヒートパイプ１１１を通じた熱伝導が発生しにくくなり、試験室内の温度が所望の温度よりも低下し過ぎるのが抑制される。
【００３１】
さらに、制御部１０は、カバー内温度検出器１１及び内部温度検出器１２の検出結果に基づき、ヒータ１０５を作動させる。例えば、断熱容器２内と内カバー１０２内で温度差が大きいと、自然循環冷媒回路１１０の両端間での温度差も大きくなっていると考えられる。したがって、ファン１０３を停止させるだけでは自然循環冷媒回路１１０の両端間の温度差が小さくなりにくく、試験室内の温度が所望の温度よりも低下し過ぎるのを有効に抑制できないおそれがある。そこで、断熱容器２内と内カバー１０２内で温度差が大きい場合のように、自然循環冷媒回路１１０による冷却を速やかに停止させる必要がある場合、制御部１０はファン１０３を停止させると共に、ヒータ１０５を作動させる。これにより自然循環冷媒回路１１０においてフィン１１２側の端部が加熱され、フィン１１２側の端部とフィン１１３側の端部との温度差が速やかに解消される。また、領域１０６内の空気がヒータ１０５によって暖められ、フィン１１２からの放熱が収まる。これらにより、ヒートパイプ１１１を通じた熱伝導が停止し、自然循環冷媒回路１１０による冷却が速やかに停止する。
【００３２】
以上説明した本実施形態によると、外カバー１０１、内カバー１０２及びシャッタ１０４により、暖められた空気が領域１０６内に滞留するため、ファン１０３を停止した際、自然循環冷媒回路１１０によって断熱容器２内を冷却し過ぎるのが防止される。また、外カバー１０１及び内カバー１０２が断熱性の高い材質で構成されているため、暖められた空気が領域１０６内に溜まりやすい。なお、外カバー１０１及び内カバー１０２の断熱性能を調整することでも、熱交換器１００全体の冷却性能を調整できる。例えば、外カバー１０１及び内カバー１０２の断熱性能を高くするほど熱交換器１００全体の冷却性能を下げることができる。逆に、外カバー１０１及び内カバー１０２の断熱性能を低くすると、断熱容器２内から常時放出する熱量の調整が可能になり、環境試験装置１の基本性能、例えば、温度が上昇したり降下したりする際の温度変化の速さなどをある程度調整することができる。
【００３３】
また、本実施形態では、外カバー１０１内にさらに内カバー１０２が設けられ、その内部にフィン１１２が配置されている。つまり、フィン１１２を覆うカバーが２層に構成されており、領域１０７のさらに内部の領域１０６に暖められた空気が溜まるように構成されている。これにより、領域１０７で空気層による断熱機能が発揮されるため、領域１０６内の暖められた空気の温度が保持されやすく、自然循環冷媒回路１１０による冷却が速やかに停止する。
【００３４】
また、本実施形態では、外カバー１０１内から空気を流出させる側の開口である開口１０１ａにファン１０３が設けられている。一方、外カバー１０１内へと空気を流入させる側の開口である開口１０１ｂにファン１０３を設けてもよい。しかし、開口１０１ｂにファン１０３を設けて領域１０６内に空気を流入させると、フィン１１２の周辺に発生する気流は局部的になりやすく、気流が当たっている部分しか冷却されない。このため、気流によるフィン１１２の冷却効率が比較的悪い。これに対して本実施形態では、空気の流出側である開口１０１ａにファン１０３を設けているため、領域１０６内に均一に気流を発生させやすい。したがって、気流によるフィン１１２の冷却効率が良い。
【００３５】
なお、自然循環冷媒回路１１０による冷却を速やかに停止させる必要がある場合には上記の通りヒータ１０５を作動させるが、これによって自然循環冷媒回路１１０による冷却が速やかに停止すると、断熱容器２内のヒータ５を作動させる必要がない。このため、断熱容器２内のヒータ５を作動させる必要がある場合と比べてエネルギー効率が大きく悪化することはない。また、空間１ａ内で熱交換器１００による冷却とヒータ５による加熱が同時になされると、空間１ａ内で空気の温度むらにより温度分布のばらつきが発生するおそれがあるが、本実施形態では上記のようにヒータ５を作動させる必要がないため、このような温度ばらつきを抑制できる。
【００３６】
以下、本実施形態の熱交換器１００における変形例について説明する。本変形例は、上述の外カバー１０１及び内カバー１０２の代わりに、図４（ａ）及び図４（ｂ）に示すカバー２０１を有している。カバー２０１内の空間は仕切り壁２０２によって、前方の領域２０６及び後方の領域２０７に仕切られている。フィン１１２は領域２０６内に配置されている。仕切り壁２０２の上端とカバー２０１の上壁との間には、領域２０６と領域２０７を連通させる連通口２０２ａが形成されている。本変形例では、連通口２０２ａにはシャッタ１０４のようなシャッタが設けられていないが、シャッタが設けられてもよい。
【００３７】
カバー２０１において領域２０７の下端には開口２０１ａが形成され、カバー２０１において領域２０６の下端には開口２０１ｂが形成されている。開口２０１ａは開口２０１ｂより上方に配置されている。開口２０１ｂにはファン２０３が設けられており、ファン２０３は、カバー２０１外の空気をカバー２０１内へと流入させる。カバー２０１内に流入した空気は、フィン１１２の周辺を通って領域２０６の上部へと向かい、そこから連通口２０２ａを通じて領域２０７へと流れ込み、開口２０１ａから外部へと流出する。開口２０１ａは連通口２０２ａより下方に配置されているので、ファン２０３が停止すると、領域２０６及び２０７の上部に暖かい空気が滞留しやすく、これによって自然循環冷媒回路１１０による試験室内の冷却が停止しやすい。このため、本変形例においても、上述の実施形態と同様、試験室内の温度が所望の温度よりも低下し過ぎるのが抑制される。
【００３８】
上述の実施形態では、空気の流出口である開口１０１ａが外カバー１０１の下端付近に配置されていたが、本変形例の開口２０１ａのように、空気の流出口が比較的高い位置に配置されていてもよい。
【００３９】
図５（ａ）〜図５（ｄ）は、カバーの開口及び仕切り壁の形状が図４とは異なるさらに別の変形例をそれぞれ示している。図４（ｂ）の開口２０１ａは水平に沿って形成されているが、図５（ａ）〜図５（ｃ）の開口３０１ａ〜５０１ａのように、上方に向かって切れ込みが形成されてもよい。これにより、空気が流出口を通過する際の圧力損失を種々に変化させることができる。また、図４（ｂ）の仕切り壁２０２の上端は水平に沿っているが、図５（ａ）〜図５（ｃ）の仕切り壁３０２〜５０２のように、上方に凸の形状に形成されてもよい。さらに、図５（ｄ）に示すように、開口６０１ａの下端や仕切り壁６０２の上端に凹凸が形成されていてもよい。なお、開口２０１ａと仕切り壁３０２が組み合わされたり、開口４０１ａと仕切り壁２０２が組み合わされたりなど、開口２０１ａ〜６０１ａの形状と仕切り壁２０２〜６０２の形状が適宜組み合わされて用いられてもよい。
【００４０】
図４や図５（ａ）〜図５（ｄ）に示すように、空気の流出口や仕切り壁の形状を様々に調整することで空気が通過する際の圧力損失を調整できる。これにより、例えば図４の変形例ではファン２０３の回転数に対してカバーから流出する風量が線形的に変化しない場合に、図５（ａ）〜図５（ｄ）のようなカバー形状にして圧力損失を変化させることで、ファン２０３の回転数に対してカバーから流出する風量を線形的に変化させるようにすることができる。このように、ファン２０３の回転数に対する風量を変化させることにより、フィン１１２に当てる風量を変化させ、自然循環冷媒回路１１０の冷却能力に対するファン２０３の制御特性を変化させることができる。
【００４１】
＜その他の変形例＞
以上は、本発明の好適な実施形態についての説明であるが、本発明は上述の実施形態に限られるものではなく、課題を解決するための手段に記載された範囲の限りにおいて様々な変更が可能なものである。
【００４２】
例えば、上述の実施形態では、外カバー１０１と内カバー１０２とが設けられ、カバー内の空間が領域２０６と領域２０７とに仕切られている。しかし、上述の実施形態において、内カバー１０２のみを設けて外カバー１０１を設けず、開口１０１ｂ側にファン１０３を配置してもよい。この場合でも、カバー内に気流を発生させる際はシャッタ１０４が内カバー１０２の上部を開放し、気流を停止した際はシャッタ１０４が内カバー１０２の上部を閉鎖するように構成されていれば、気流を停止した際にシャッタ１０４の直下に暖められた空気が滞留する。また、内カバー１０２のみを設ける構成と類似の構成として、外カバー１０１と内カバー１０２の両方が設けられているが、外カバー１０１の断熱性能が内カバー１０２の断熱性能より低くてもよい。
【００４３】
また、上述の実施形態では、シャッタ１０４を付勢する付勢部材が設けられているが、この付勢部材の代わりに、シャッタ１０４を開放位置と閉鎖位置との間で変位させるアクチュエータ（シャッタ変位手段）が設けられていてもよい。
【００４４】
また、上述の実施形態では、開口１０１ｂ側にはシャッタが設けられていないが、開口１０１ｂ側にもシャッタ１０４と同様に、気流の発生及び停止に応じて開閉するシャッタが設けられていてもよい。
【００４５】
また、上述の実施形態ではファン６が連通口４ａに配置されているが、空間１ａ内に上述の実施形態と同様の気流を発生させることができれば、ファン６がどのように配置されてもよい。
【００４６】
上述の変形例では、開口２０１ａ〜５０１ａの下端や仕切り壁２０２〜５０２の上端が、上方に向かう凸形状や凹凸形状になっているが、下方に向かう凹形状やその他の形状になっていてもよい。
【符号の説明】
【００４７】
１        環境試験装置
２        断熱容器
１０      制御部
１１      カバー内温度検出器
１２      内部温度検出器
１００    熱交換器
１０１    外カバー
１０１ａ  開口
１０１ｂ  開口
１０２    内カバー
１０２ａ  連通口
１０３    ファン
１０４    シャッタ
１０５    ヒータ
１１０    自然循環冷媒回路
１１１    ヒートパイプ
【図１】
2011141200.tif 000003
【図２】
2011141200.tif 000004
【図３】
2011141200.tif 000005
【図４】
2011141200.tif 000006
【図５】
2011141200.tif 000007